(57)【要約】【課題】広範囲の皮膚面に対して１箇所当たりのマッサージ面積を広くできるとともに、マッサージ機能を継続しながらマッサージすべき場所を移動させ得るようにする。【解決手段】低周波発生器２により２つの電極端子２３，２４からそれぞれ低周波パルスを出力するようにした低周波美容器において、器体１の台板部１１の下面部分に、該台板部１１の少なくとも４隅付近に位置する４個以上のローラ３，４をそれぞれ皮膚面に同時に接触させ得る状態で設置し、各ローラ３，４のそれぞれの外周面を導電可能な導電部材３３，４３で形成しているとともに、いずれかのローラ３の導電部材３３に一方の極性の電極端子２３を接続している一方、他のローラ４の導電部材４３に他方の極性の電極端子２４を接続していることにより、４隅付近の各ローラで囲われる面積範囲を一度にマッサージできるとともに、マッサージ機能を継続しながらマッサージ場所を移動できる。【選択図】  図１
2015104644.tif 000002
【特許請求の範囲】
【請求項１】
低周波発生器（２）により２つの電極端子（２３，２４）からそれぞれ低周波パルスを出力するようにした低周波美容器であって、
上部に手で握持できる握持部（１３）と該握持部（１３）の下部に所定面積を有した台板部（１１）とを設けた器体（１）を備え、
上記台板部（１１）の下面部分に、該台板部（１１）の少なくとも４隅付近に位置する４個以上のローラ（３，４，４・・）をそれぞれ皮膚面に同時に接触させ得る状態で設置し、
上記各ローラ（３，４，４・・）のそれぞれの外周面を導電可能な導電部材（３３，４３）で形成しているとともに、
上記各ローラ（３，４，４・・）のうちの一方のグループのローラ（３）の上記導電部材（３３）に上記両電極端子（２３，２４）のうちの一方の電極端子（２３）を接続している一方、上記各ローラ（３，４，４・・）のうちの他のグループのローラ（４，４・・）の上記導電部材（４３，４３・・）に上記両電極端子（２３，２４）のうちの他方の電極端子（２４，２４・・）を接続している、
ことを特徴とする低周波美容器。
【発明の詳細な説明】
【技術分野】
【０００１】
本願発明は、皮膚面に低周波パルスを与えることにより該皮膚面の美容（主としてマッサージ）を行えるようにした低周波美容器に関するものである。
【背景技術】
【０００２】
皮膚面に低周波パルスを与えてマッサージ機能を発生させるようにした低周波美容器（低周波治療器や低周波マッサージ器等とも称されている）は、各種のものが市場に出回っている。
【０００３】
この種の低周波美容器の代表例（一般例）として、低周波発生器にそれぞれリード線を介して低周波パルスを発生させる２つの電極端子（粘着パッドに取付けられている）を接続したものがある。そして、この種の低周波美容器では、低周波パルス発生用の各電極端子がそれぞれリード線を介して低周波発生器に接続されているので、両電極端子間の間隔に自由度があり、両電極端子を身体皮膚面におけるかなり離間した２位置に接触させることにより、離れた２位置をそれぞれ局所的にマッサージすることができる。
【発明の概要】
【発明が解決しようとする課題】
【０００４】
ところが、上記したように、リード線を介して両電極端子を接続した低周波美容器では、各電極端子の接触位置に自由度があって離れた２位置を局所的にマッサージできるものの、各リード線が絡み合ったり邪魔になるという問題があった。又、このような粘着パッド式の低周波美容器で広範囲な皮膚面をマッサージするには、電極端子（粘着パッド）の接触位置を移動させる（貼り換える）必要があるので、該電極端子（粘着パッド）の位置変更作業が面倒であるという問題もあった。
【０００５】
そこで、本願発明は、広範囲の皮膚面に対して、１箇所当たりのマッサージ面積を広くできるとともにマッサージすべき場所への位置移動を簡単且つ連続して行えるようにした低周波美容器を提供することを目的としている。
【課題を解決するための手段】
【０００６】
本願発明は、上記課題を解決するための手段として次の構成を有している。尚、本願発明は、低周波発生器により２つの電極端子からそれぞれ低周波パルスを出力するようにした低周波美容器を対象としたものである。
【０００７】
そして、本願発明の低周波美容器は、上部に手で握持できる握持部と該握持部の下部に所定面積を有した台板部とを設けた器体を備えたもので、上記握持部を手で握持して使用できるものである。
【０００８】
器体の台板部の下面部分には、該台板部の少なくとも４隅付近に位置する４個以上のローラをそれぞれ皮膚面に同時に接触させ得る状態で設置している。４隅付近に位置する４個の各ローラの位置は、特に限定するものではないが、ローラ中心距離において前後に８〜１０cm程度離間し、左右に５〜６cm程度離間する状態で配置することができる。尚、本願発明では、この各ローラは、台板部下面の４隅付近に少なくとも４個あればよいが、該４隅付近の４個の隅部ローラとその中央部に１個の中央ローラとの合計５個を設けたものがバランス的に良好である。そして、これらの各ローラは、台板部に対して左右方向に向く軸で支持されていて、各ローラをそれぞれ皮膚面に接触させた状態で器体を前後に押し引きすることで該各ローラが同時に皮膚面上を転動するようになっている。
【０００９】
上記各ローラのそれぞれの外周面は、導電可能な導電部材で形成している。そして、上記各ローラのうちの一方のグループのローラの導電部材には、両電極端子のうちの一方の電極端子（−極性又は＋極性）を接続している一方、各ローラのうちの他のグループのローラの導電部材には、両電極端子のうちの他方の電極端子（＋極性又は−極性）を接続している。尚、各導電部材への通電は、各ローラが転動する関係でそれぞれロータリー接点を介して行われる。
【００１０】
本願発明の低周波美容器は、次のようにして使用される。即ち、低周波発生器に通電した状態で、器体の握持部を握持して台板部下面の各ローラをケアすべき皮膚面に押し当てると、−極性の導電部材と＋極性の導電部材とが同時に皮膚面に接触することで人体を介して微弱電流が流れ、低周波発生器により各ローラ（導電部材）の外周面から皮膚面に対してそれぞれ低周波パルスが出力される。このとき、皮膚面に接触する各ローラは、前後・左右にそれぞれ所定間隔を有しているので、４隅付近の４個のローラで囲われる面積がかなり広くなって、一度にマッサージできる面積範囲が広くなる（例えば、前後幅が１０〜１１cm、左右幅が７〜８cmの面積範囲を同時にマッサージできる）。
【００１１】
そして、各ローラを皮膚面に接触させたままで器体を前後に移動させると、各ローラ外周面から連続して低周波パルスを出力しながらスムーズにマッサージ場所を変更させることができる。
【発明の効果】
【００１２】
本願発明の低周波美容器は、次のような効果がある。
【００１３】
まず、器体の台板部の下面部分に、低周波パルスの出力部となるローラを、台板部の４隅付近に位置する少なくとも４個以上設けているので、器体下面の各ローラをマッサージすべき皮膚面に接触させたときに、各ローラがかなり広範囲の面積の皮膚面を囲うように接触し、従って一度に広範囲の面積の皮膚面をマッサージできるという効果がある。
【００１４】
又、各ローラが低周波パルスの出力部となっているので、各ローラを皮膚面に接触させたままで皮膚面上を移動させると、各ローラが転動することによってスムーズにマッサージ位置を変更できるとともに、各ローラによる低周波パルスの出力が中断することがないので、移動させながらでも連続してマッサージを行えるという効果がある。
【図面の簡単な説明】
【００１５】
【図１】本願実施例の低周波美容器の側面図である。
【図２】図１の低周波美容器の平面図である。
【図３】図１の低周波美容器の底面図である。
【図４】図１の低周波美容器の電気回路図である。
【発明を実施するための形態】
【００１６】
［実施例］
添付の図１〜図４を参照して本願実施例の低周波美容器を説明すると、この実施例の低周波美容器は、腕や脚やボディ等の比較的広面積範囲をマッサージするのに適したものである。
【００１７】
この実施例の低周波美容器は、図１に示すように、上部を手で握持して前後に押し引き移動できる手持ち式の器体１を有して構成している。
【００１８】
該器体１は、下部に後述のローラを取付ける台板部１１と該台板部１１の上部に所定高さ（例えば３cm程度）の支柱部１２を介して手で握持できる握持部１３を有したものである。
【００１９】
台板部１１は、図３に示す底面視において、所定面積を有した略矩形の形状を有したものである。尚、この台板部１１の大きさは、特に限定するものではないが、図３の底面視おける前後長さＬが１１cm程度、左右幅Ｍが１０cm程度、厚さ（図１参照）が２cm程度のものが採用できる。
【００２０】
握持部１３は、図２に示す平面視において、略楕円形の形状で手で握持するのに適当な大きさを有している。尚、図示例のものでは、握持部１３として、特に限定するものではないが、前後長さが１３cm、左右幅（最大幅）が８〜９cm、厚さが３cm程度のものを採用している。
【００２１】
器体１の台板部１１の下面には、中央付近に位置する１個の中央ローラ３と、４隅付近に位置する４個の隅部ローラ４，４・・をそれぞれ皮膚面Ａ（図１）に同時に接触させ得る状態で設置している。即ち、台板部１１の中央付近には、中央ローラ３を収容させ得る矩形穴を設けて、該矩形穴内に中央ローラ３を軸３１で支持している一方、台板部１１の４隅付近には、それぞれ隅部ローラ４，４・・を収容させる切欠溝を設けて、該各切欠溝内にそれぞれ隅部ローラ４，４・・を軸４１で支持させている。尚、各ローラ３，４の大きさは、特に限定するものではないが、直径が４cm、軸方向長さが２cm強程度のものを使用している。
【００２２】
４個の各隅部ローラ４，４・・は、それぞれ台板部１１の４隅付近に位置していて、該各隅部ローラ４，４・・で囲われる面積はかなり広い範囲となっている。例えば、図３に示す各隅部ローラ４，４・・の配置例では、前後（Ｌ方向）に位置する各隅部ローラ４，４の中心間距離が９cm程度であり、左右（Ｍ方向）に位置する各隅部ローラ４，４の中心間距離が５.５cm程度に設定している。
【００２３】
そして、この実施例では、４隅の各隅部ローラ４，４・・の中心部にさらに１個の中央ローラ３を設置していることにより、比較的広面積範囲（図３に鎖線図示する符号Ｂで囲われる範囲）であっても各ローラ（５個）が比較的密集状態で配置される。尚、４個の各隅部ローラ４，４・・で実質的にカバーできる面積範囲Ｂ（図３）は、前後幅（Ｌ方向）が１０cm程度で左右幅（Ｍ方向）が７.５cm程度の範囲である。
【００２４】
中央ローラ３及び４個の各隅部ローラ４，４・・は、それぞれ軸（３１，４１）を中心に転動できるもので、図１に示すように各ローラ３，４，４・・を皮膚面Ａに接触させた状態で、この美容器を前後方向に押し引きすることで、各ローラを皮膚面Ａ上で転動させながら前後に移動させ得るようになっている。
【００２５】
中央ローラ３及び４個の各隅部ローラ４，４・・のそれぞれの外周面は、導電可能な導電部材３３，４３で形成している。これらの導電部材３３，４３，４３・・の材料としては、例えば通電ゴムや金属が採用可能である。尚、これらの導電部材３３，４３，４３・・は、後述するように低周波パルスの出力部となるものである。
【００２６】
各導電部材３３，４３，４３・・の外周面には、それぞれ周方向に所定角度間隔（角度４５°間隔）をもって複数の突条部３４，３４・・、４４，４４・・を設けている。これらの突条部３４，４４は、各ローラ３，４が皮膚面Ａ上を転動するときに、該皮膚面Ａに対する押圧力を小刻みに変化させることができ、それによってマッサージ効果を高めることができるようにするためのものである。
【００２７】
この低周波美容器には、低周波パルスを出力するための低周波発生回路が組み込まれている。この低周波発生回路には、図１及び図４に示すように、電源となる電池２１と、低周波パルスを発生させる低周波発生器２と、電源をＯＮ・ＯＦＦするメインスイッチ２２とを有している。
【００２８】
低周波発生器２には、−極性の電極端子２３と＋極性の電極端子２４とが接続されている。この実施例では、−極性の電極端子２３は１つだけであるが、＋極性の電極端子２４は４つに分岐されている。そして、−極性の１つの電極端子２３を中央ローラ３の導電部材３３に接続している一方、＋極性の４つの電極端子２４，２４・・を４個の隅部ローラ４，４・・の各導電部材４３，４３・・にそれぞれ接続している。尚、各導電部材３３，４３への通電は、各ローラ３，４が転動する関係で、図１に示すようにそれぞれロータリー接点３２，４２を介して行われる。
【００２９】
器体１の握持部１３の上面部には、図２に示すように、メインスイッチ２２のＯＮ・ＯＦＦ用の電源切換ボタン１４と、低周波パルスの出力切換ボタン１５と、パルスモード切換ボタン１６とが設けられている。
【００３０】
この実施例の低周波美容器は、次のようにして使用される。即ち、低周波発生器２に通電した状態（電源切換スイッチ２２がＯＮ状態）で、器体１の握持部１３を握持して台板部１１下面の各ローラ３，４，４・・をケアすべき皮膚面Ａ（図１）に押し当てる。すると、中央ローラ３の導電部材３３（−極性）と各隅部ローラ４，４・・の各導電部材４３，４３・・（＋極性）とが同時に皮膚面Ａに接触することで人体（図４の点線接続部分）を介して微弱電流が流れ、低周波発生器２により各ローラの導電部材３３，４３，４３・・の外周面から皮膚面Ａに対してそれぞれ低周波パルスが出力される。
【００３１】
このとき、皮膚面Ａに接触する各隅部ローラ４，４・・は、前後・左右にそれぞれ所定間隔を有していて、４個の隅部ローラ４，４・・で囲われる面積範囲（図３の符号Ｂで囲われる範囲）がかなり広いので、一度にマッサージできる面積範囲が広くなる（例えば、前後幅が１０cm、左右幅が７.５cmの面積範囲を同時にマッサージできる）。又、この実施例では、４個の隅部ローラ４，４・・の中央部に別の中央ローラ３を配置しているので、低周波パルスの出力部分が密になり、一度にマッサージできる面積範囲（図３の符号Ｂで囲われた範囲）を均等にマッサージできるようになる。
【００３２】
そして、各ローラ３，４，４・・を皮膚面Ａに接触させたままで器体１を前後に移動させると、各ローラが転動することによってスムーズにマッサージ場所を変更させることができる。又、このとき、各ローラ３，４が転動することにより、ローラ外周面の各突条部３４，３４・・（４４、４４・・）で皮膚面を小刻みに刺激するので、マッサージ機能を一層増進させることができる。
【００３３】
さらに、各ローラ３，４，４・・が低周波パルスの出力部となっているので、各ローラを皮膚面Ａに接触させたままで皮膚面上を移動させると、各ローラによる低周波パルスの出力が中断することがないので、移動させながらでも連続してマッサージを行えるという機能もある。
【符号の説明】
【００３４】
１は器体、２は低周波発生器、３は中央ローラ、４は隅部ローラ、１１は台板部、１３は握持部、２１は電池、２２は電源切換スイッチ、２３は電極端子（−極性），２４は電極端子（＋極性）、３３は導電部材、４３は導電部材である。
【図１】
2015104644.tif 000003
【図２】
2015104644.tif 000004
【図３】
2015104644.tif 000005
【図４】
2015104644.tif 000006